(57)【特許請求の範囲】
【請求項１】
対象重量物を載置させて支持する受け台であって、
載置された前記対象重量物の下面部を支持する支持台部と、
前記支持台部の側縁部から上方に向けて設けられた側板部と、
前記側板部に、前記支持台部側に向けて進退可能に取り付けられ、前記支持台部に支持される前記対象重量物の側面部に吸着するマグネットと、
前記マグネットを前記支持台部側から後退させるマグネット解除桿と、
前記側板部に設けられた把手と
を有し、
前記対象重量物の下面部に前記支持台部を沿わせ、側面部に前記側板部を沿わせ、側面部に前記マグネットを吸着させ、前記対象重量物が降下されて前記支持台部が着地したときに、前記支持台部により前記対象重量物の下面部を支持する
ことを特徴とする受け台。
【請求項２】
前記把手は、一方部分が前記マグネット解除桿の後端部に連結され、他方部分が支持棒により前記側板部の背面部に連結されており、
前記支持棒は、前記側板部又は前記把手に対して遊びを有しており、前記マグネット解除桿による前記マグネットの後退を阻害しない
ことを特徴とする請求項１記載の受け台。
【請求項３】
前記支持台部は、モノマーキャストポリアミド樹脂から形成されている
ことを特徴とする請求項１又は２記載の受け台。
【請求項４】
前記支持台部の耐荷重は、１６０ｋｇｆ／ｃｍ２以上である
ことを特徴とする請求項１、２又は３記載の受け台。
【請求項５】
前記支持台部及び前記側板部の色は青色である
ことを特徴とする請求項１〜４の何れかに記載の受け台。
【発明の詳細な説明】
【技術分野】
【０００１】
本発明は、対象重量物を床上で支持する受け台に関し、より詳しくは、対象重量物の重量が極めて大きい場合であっても、対象重量物の傷損が防止され、対象重量物を容易、かつ、安全に支持できる受け台に関する。
【背景技術】
【０００２】
高重量の対象重量物を吊上げ搬送する場合には、特許文献１に記載されているような吊り下げ具を対象重量物に掛けて、クレーンによって吊上げて搬送する。
【０００３】
また、図１１に示すように、例えば船舶の部品（例えば船舶用ダンパ）のような対象重量物２０１では、吊り下げ具を掛けられる箇所がない場合があり、吊り下げ具を用いた吊上げができないので、側面に設けられた複数のボルト部２０２にワイヤ２０４を巻き掛けることによって吊下げ支持している。
【０００４】
そして、吊下げ支持された対象重量物２０１を床上に降ろすときには、船舶の部品のような対象重量物２０１は、重量が例えば数百Ｋｇ〜数トン（ｔ）もあり、極めて高重量なので、そのまま床面上に置いてしまうと、対象重量物２０１及び床面が傷損を被り、破壊されてしまう虞がある。
【０００５】
そのため、高重量の対象重量物２０１をクレーンやトラックから降下させるときには、予め床面上にバン木（木製の枕木のような部材）を置き、このバン木の上に対象重量物２０１を載置している。
【先行技術文献】
【特許文献】
【０００６】
【特許文献１】特開平１１−０３２８８３号公報
【発明の概要】
【発明が解決しようとする課題】
【０００７】
船舶の部品のような対象重量物２０１は、重量が例えば数百Ｋｇ〜数トン（ｔ）というような極めて高重量なので、慎重に床上に降ろさないと、揺動や落下により、付近の作業員の身体及び人命の危機となる。
【０００８】
従来、上述したように、床面上にバン木を置いて対象重量物２０１を降下させているが、対象重量物２０１が着地する直前に、バン木の位置を手で微調整しなければならない。このとき、作業者の手指や足が対象重量物２０１に極めて接近した状態となるので、対象重量物２０１が降下、または、落下すると、作業者の手指や足が対象重量物２０１と床面との間に挟まれてしまい、身体及び人命の危機となる虞がある。
【０００９】
そこで、本発明は、対象重量物の重量が極めて大きい場合であっても、対象重量物の傷損が防止され、対象重量物を容易、かつ、安全に床上で支持できる受け台を提供することを課題とする。
【００１０】
また、本発明のその他の課題は、以下の記載によって明らかになる。
【課題を解決するための手段】
【００１１】
上記課題は以下の発明によって解決される。
【００１２】
（請求項１）
対象重量物を載置させて支持する受け台であって、
載置された前記対象重量物の下面部を支持する支持台部と、
前記支持台部の側縁部から上方に向けて設けられた側板部と、
前記側板部に、前記支持台部側に向けて進退可能に取り付けられ、前記支持台部に支持される前記対象重量物の側面部に吸着するマグネットと、
前記マグネットを前記支持台部側から後退させるマグネット解除桿と、
前記側板部に設けられた把手と
を有し、
前記対象重量物の下面部に前記支持台部を沿わせ、側面部に前記側板部を沿わせ、側面部に前記マグネットを吸着させ、前記対象重量物が降下されて前記支持台部が着地したときに、前記支持台部により前記対象重量物の下面部を支持する
ことを特徴とする受け台。
（請求項２）
前記把手は、一方部分が前記マグネット解除桿の後端部に連結され、他方部分が支持棒により前記側板部の背面部に連結されており、
前記支持棒は、前記側板部又は前記把手に対して遊びを有しており、前記マグネット解除桿による前記マグネットの後退を阻害しない
ことを特徴とする請求項１記載の受け台。
（請求項３）
前記支持台部は、モノマーキャストポリアミド樹脂から形成されている
ことを特徴とする請求項１又は２記載の受け台。
（請求項４）
前記支持台部の耐荷重は、１６０ｋｇｆ／ｃｍ２以上である
ことを特徴とする請求項１、２又は３記載の受け台。
（請求項５）
前記支持台部及び前記側板部の色は青色である
ことを特徴とする請求項１〜４の何れかに記載の受け台。
【発明の効果】
【００１３】
本発明によれば、対象重量物の重量が極めて大きい場合であっても、対象重量物の傷損が防止され、対象重量物を容易、かつ、安全に床上で支持できる受け台を提供することができる。
【図面の簡単な説明】
【００１４】
【図１】第１の実施形態に係る受け台を示す正面側斜視図
【図２】第１の実施形態に係る受け台を示す背面側斜視図
【図３】複数の第１の実施形態に係る受け台を対象重量物に装着した状態を示す斜視図
【図４】第１の実施形態に係る受け台においてマグネットを後退された状態を示す正面側斜視図
【図５】第１の実施形態に係る受け台においてマグネット解除桿がロックされた状態を示す背面側斜視図
【図６】第１の実施形態に係る受け台を対象重量物に装着している状態を示す背面側斜視図
【図７】第２の実施形態に係る受け台を示す正面側斜視図
【図８】第２の実施形態に係る受け台を示す背面側斜視図
【図９】第２の実施形態に係る受け台においてマグネットを後退された状態を示す正面側斜視図
【図１０】第２の実施形態に係る受け台においてマグネット解除桿がロックされた状態を示す背面側斜視図
【図１１】前記対象重量物を示す斜視図
【発明を実施するための形態】
【００１５】
以下、本発明に係る実施の形態を図面を用いて説明する。
【００１６】
図１は、第１の実施形態に係る受け台を示す正面側斜視図である。
図２は、第１の実施形態に係る受け台を示す背面側斜視図である。
図３は、複数の第１の実施形態に係る受け台を対象重量物に装着した状態を示す斜視図である。
【００１７】
図１及び図２に示す本発明に係る実施形態の受け台は、図３に示すように、対象重量物であるディーゼルエンジンのダンパ１０１を載置させて支持する受け台である。なお、対象重量物はダンパ１０１に限定されない。対象重量物には、船舶のような大きな構造物の製造過程において、搬送等の作業がなされるあらゆる部材が該当する。
【００１８】
この受け台は、図１及び図２に示すように、載置されたダンパ１０１の下面部を支持する支持台部１を有している。支持台部１は、単一材料から中実のほぼ直方体形状に形成されている。支持台部１の大きさは、例えば、各辺が１０ｃｍ程度である。
【００１９】
支持台部１をなす材料は、対象重量物に対して耐荷重があれば特に限定されないが、例えば、エンジニアプラスチックを用いることが好ましい。エンジニアプラスチックとしては、モノマーキャストポリアミド樹脂（例えば、ＭＣナイロン（登録商標））が、耐荷重（圧縮強度）や、耐摩耗性の観点から好ましい。支持台部１の耐荷重（圧縮強度）は、例えば、１６０ｋｇｆ／ｃｍ２（１５．７Ｎ／ｍｍ２）以上である。
【００２０】
この受け台は、支持台部１の側縁部から上方に向けて設けられた側板部２を有している。側板部２は、支持台部１と同一の幅を有して、支持台部１の高さの数倍程度の高さまで上方に延設されている。側板部２の厚さ（奥行き）は、例えば、２〜３ｃｍ程度である。
【００２１】
側板部２は、支持台部１と同一の材料により、支持台部１に一体的に形成されることが好ましい。側板部２の支持台部１に対する取り付け強度を強固にできるからである。
【００２２】
また、支持台部１及び前記側板部２の色は、青色のように有色であることが好ましい。ダンパ１０１などの対象重量物は、金属製であることが多いので、支持台部１及び前記側板部２の色が青色であることにより、受け台が対象重量物に装着されていることが明確に視認されるからである。
【００２３】
側板部２には、マグネット３が、支持台部１側に向けて進退可能に取り付けられている。マグネット３は、側板部２に設けられた透孔３ａ内に配置され、前面部（磁力面）を側板部２の前面部に対してほぼ面一としている。マグネット３は、支持台部１上に載置されて支持されるダンパ１０１の側面部に吸着する。マグネット３は、例えば異方性マグネットのような強力なマグネットであることが好ましい。また、マグネット３の前面部（磁力面）には、保護シートを設けて、吸着物であるダンパ１０１の側面部に傷損を与えないようにすることが好ましい。
【００２４】
図４は、第１の実施形態に係る受け台においてマグネットを後退された状態を示す正面側斜視図である。
【００２５】
マグネット３には、後方側に向けて、側板部２を貫通して、マグネット解除桿４が取り付けられている。マグネット解除桿４は、図４において矢印Ａで示すように、後方に引っ張ることによって、マグネット３を後退させるものである。このように後退されたマグネット３は、図４に示すように、前面部を側板部２の前面部よりも透孔３ａ内に没入させた状態となる。
【００２６】
マグネット解除桿４の後端部には、下方側に向けて把手５が取り付けられている。把手５は、作業者が把持し得るように、例えば円筒状に形成されている。把手５の一方部分である上方部には、マグネット解除桿４の後端部が連結されている。把手５の他方部分である下方部は、支持棒５ａにより、側板部２の背面部に連結されている。支持棒５ａは、前端部が側板部２の背面部に連結され、後端部が把手５の下方部に連結されている。支持棒５ａの側板部２への連結又は把手５への連結は、遊びを有した状態となっており、マグネット解除桿４の前後移動及びマグネット３の後退を阻害しないようになっている。
【００２７】
図２に示すように、側板部２の背面部には、マグネット解除桿４をロックするためのロック板６が設けられている。ロック板６は、ナット７によって、側板部２に対してナット７回りに回動可能に取り付けられている。ロック板６は、マグネット解除桿４に係合するロック溝６ａを有している。
【００２８】
図５は、第１の実施形態に係る受け台においてマグネット解除桿がロックされた状態を示す背面側斜視図である。
【００２９】
ロック板６は、図５において矢印Ｂで示すように、ナット７回りに回動されることによって、ロック溝６ａをマグネット解除桿４に係合させて、マグネット解除桿４を後方に移動された状態でロックする。支持台部１上にダンパ１０１が載置されているときには、マグネット３がダンパ１０１の側面部に吸引され、マグネット解除桿４が前方に付勢されるが、マグネット解除桿４がロック板６によってロックされることによって、マグネット解除桿４は後方に移動された状態を維持する。
【００３０】
図６は、第１の実施形態に係る受け台を対象重量物に装着している状態を示す背面側斜視図である。
【００３１】
この受け台は。図６に示すように、作業者１０６が把手５を把持して、吊り下げ支持されたダンパ１０１の下面部に支持台部１の上面部を沿わせ、ダンパ１０１の側面部に側板部２の前面部を沿わせ、位置調整して、ダンパ１０１の側面部にマグネット３を吸着させる。このとき、マグネット解除桿４はロック板６によってロックされていない。なお、本実施形態では、ダンパ１０１が吊り下げ支持された態様を説明しているがこれに限定されず、ダンパ１０１の下面部に支持台部１の上面部を沿わせることができる空間があればよい。
【００３２】
このようにして、図３に示すように、複数の受け台をダンパ１０１に装着することができる。複数の受け台は、ダンパ１０１に対して、少なくとも３個を装着することが好ましい。受け台の数が３個以上であれば、ダンパ１０１を床面上に安定して支持することができるからである。複数の受け台は、ダンパ１０１が降下されて支持台部１の下面部が着地したときに、支持台部１の上面部によりダンパ１０１の下面部を支持する。
【００３３】
なお、受け台は、床面上に設置されていたダンパ１０１を起こして、反転させる場合にも、用いることができる。この場合には、床面上に設置されたダンパ１０１の上面部に、受け台を逆さまにして、支持台部１の上面部を沿わせ、ダンパ１０１の側面部に側板部２の前面部を沿わせ、位置調整して、ダンパ１０１の側面部にマグネット３を吸着させる。この状態でダンパ１０１を吊り上げ、反転させることにより、支持台部１の上面部によりダンパ１０１が支持される。
【００３４】
このように、受け台は、ディーゼルエンジンのダンパ１０１の搬送や反転作業の終了後に、ダンパ１０１が床面上に設置されたときに、ダンパ１０１を安定して支持する。
【００３５】
受け台をダンパ１０１から外す場合には、マグネット解除桿４を後方に引っ張って移動させ、マグネット３をダンパ１０１の側面部から離間させて、ロック板６によってマグネット解除桿４をロックする。この状態でダンパ１０１を吊り上げると、受け台はダンパ１０１から外れて、床面上に残される。
【００３６】
この受け台は、船舶の部品のような重量が例えば数百ｋｇ〜数トン（ｔ）というような極めて高重量の対象重量物を扱う場合にも、吊り下げられている状態で対象重量物に取り付けられるので、従来のバン木のように対象重量物が着地する直前に位置調整する必要がなく、作業者の手指や足が対象重量物に接近することがないので、対象重量物の降下により付近の作業員の身体及び人命の危機が生ずることを防止することができる。
【００３７】
〔第２の実施形態〕
図７は、第２の実施形態に係る受け台を示す正面側斜視図である。
図８は、第２の実施形態に係る受け台を示す背面側斜視図である。
【００３８】
この受け台は、図７及び図８に示すように、マグネット３に取り付けられたマグネット解除桿４の後端部を、把手５に取り付けずに、独立した引っ張りレバーとして構成してもよい。
【００３９】
この場合には、把手５は、一対の支持棒５ａ、５ａにより、上方部及び下方部を、側板部２の背面部に連結される。上方の支持棒５ａは、前端部が側板部２の背面部に連結され、後端部が把手５の上方部に連結される。下方の支持棒５ａは、前端部が側板部２の背面部に連結され、後端部が把手５の下方部に連結される。
【００４０】
図９は、第２の実施形態に係る受け台においてマグネットを後退された状態を示す正面側斜視図である。
【００４１】
マグネット解除桿４は、図９において矢印Ａで示すように、後方に引っ張ることによって、マグネット３を後退させる。このように後退されたマグネット３は、図９に示すように、前面部を側板部２の前面部よりも透孔３ａ内に没入させた状態となる。
【００４２】
図１０は、第２の実施形態に係る受け台においてマグネット解除桿がロックされた状態を示す背面側斜視図である。
【００４３】
ロック板６は、図１０において矢印Ｂで示すように、ナット７回りに回動されることによって、ロック溝６ａをマグネット解除桿４に係合させて、マグネット解除桿４を後方に移動された状態でロックする。支持台部１上にダンパ１０１が載置されているときには、マグネット３がダンパ１０１の側面部に吸引され、マグネット解除桿４が前方に付勢されるが、マグネット解除桿４がロック板６によってロックされることによって、マグネット解除桿４は後方に移動された状態を維持する。
【００４４】
この実施形態の受け台も、作業者が把手５を把持して、吊り下げ支持されたダンパ１０１の下面部に支持台部１の上面部を沿わせ、ダンパ１０１の側面部に側板部２の前面部を沿わせ、位置調整して、ダンパ１０１の側面部にマグネット３を吸着させる。このとき、マグネット解除桿４はロック板６によってロックされていない。このようにして、複数の受け台をダンパ１０１に装着することができる。
【００４５】
複数の受け台は、ダンパ１０１が降下されて支持台部１の下面部が着地したときに、支持台部１の上面部によりダンパ１０１の下面部を支持する。受け台は、ディーゼルエンジンのダンパ１０１の搬送や反転作業の終了後に、ダンパ１０１が床面上に設置されたときに、ダンパ１０１を安定して支持する。
【００４６】
この受け台は、船舶の部品のような重量が例えば数百ｋｇ〜数トン（ｔ）というような極めて高重量の対象重量物を扱う場合にも、吊り下げられている状態で対象重量物に取り付けられるので、従来のバン木のように対象重量物が着地する直前に位置調整する必要がなく、作業者の手指や足が対象重量物に接近することがないので、対象重量物の降下により付近の作業員の身体及び人命の危機が生ずることを防止することができる。
【００４７】
なお、上述の各実施形態中に示した大きさや重量等に関する数値及び材料名は、例示であって、何ら本発明を限定するものではない。本発明は、これら数値及び材料名には限定されないものとして解釈される。
【符号の説明】
【００４８】
１  支持台部
２  側板部
３  マグネット
４  マグネット解除桿
５  把手
５ａ  支持棒
６  ロック板
６ａ  ロック溝
７  ナット
１０１  ダンパ
【要約】
【課題】対象重量物の重量が極めて大きい場合であっても、対象重量物の傷損が防止され、対象重量物を容易、かつ、安全に床上で支持できる受け台を提供すること。
【解決手段】対象重量物を載置させて支持する受け台であって、載置された対象重量物の下面部を支持する支持台部１と、支持台部１の側縁部から上方に向けて設けられた側板部２と、側板部２に、支持台部１側に向けて進退可能に取り付けられ、支持台部１に支持される対象重量物の側面部に吸着するマグネットと、マグネットを支持台部１側から後退させるマグネット解除桿４と、側板部２に設けられた把手５とを有し、対象重量物の下面部に支持台部１を沿わせ、側面部に側板部２を沿わせ、側面部にマグネットを吸着させ、対象重量物が降下されて支持台部１が着地したときに、支持台部１により対象重量物の下面部を支持することを特徴とする受け台。
【選択図】図３【図１】
0006848142.tif 000002
【図２】
0006848142.tif 000003
【図３】
0006848142.tif 000004
【図４】
0006848142.tif 000005
【図５】
0006848142.tif 000006
【図６】
0006848142.tif 000007
【図７】
0006848142.tif 000008
【図８】
0006848142.tif 000009
【図９】
0006848142.tif 000010
【図１０】
0006848142.tif 000011
【図１１】
0006848142.tif 000012